(57)【要約】【課題】使用して汚れた多量の３Ｄメガネを機械で短時間で、かつ、ほぼ均一にきれいに洗浄することなどである。【解決手段】洗浄槽１の下部に回転軸４を設けて、この回転軸の上に、カゴ枠軸の下端と底板７とを一体にしたカゴ枠軸６を、固着してこのカゴ枠軸の周囲に複数本の内側カゴ係止支柱９と複数本の区分け支柱１０を等角度おきに固着し、この複数本の区分け支柱の先端に上下複数本の円形リング１１を固着してこれらの区分け支柱と円形リングとからなる複数個のカゴ収容枠体１３の中に、開閉部を有するとともに少なくとも全側面と下面に網を有して内周側に円弧形係止穴１６を有する洗浄カゴ１４を、１個ずつ着脱自在にそれぞれ挿入係止した３Ｄメガネの洗浄機１７である。【選択図】図１
2012220945.tif 000002
【特許請求の範囲】
【請求項１】
洗浄槽の内側下部中央に上下方向に回転軸を有するとともに洗浄槽の上部に洗浄液流入口と下部に洗浄液流出口を有する洗浄槽において、該回転軸の上に、カゴ枠軸の下端と底板とを一体にしたカゴ枠軸を、止着して該カゴ枠軸の周囲に複数本の内側カゴ係止支柱を等角度おきに上下方向に固着するとともに該内側カゴ係止支柱と内側カゴ係止支柱との中間部に、少なくとも上部と下部の２か所に１本ずつ水平方向にカゴ区分け支柱を、固着して該カゴ区分け支柱のそれぞれの先端に、上下方向の外側カゴ区分け支柱を、それぞれ固着するとともに該外側カゴ区分け支柱の外側又は内側に円形リングを少なくとも上部と下部の２か所に１本ずつ水平方向に固着した複数個の洗浄カゴ収容部を有する洗浄カゴ収容枠体に、３角形状のカゴ枠体の少なくとも全側面と下面に網を有してカゴ枠体の外周側カゴ枠体を開閉自在にするとともに内周側カゴ枠体に円弧形係止穴を有する洗浄カゴを、該洗浄カゴの円弧形係止穴を前記内側カゴ係止支柱に着脱自在にそれぞれ挿入係止したことを特徴とした３Ｄメガネの洗浄機。
【請求項２】
カゴ枠軸と一体にした底板が、回転軸の上に固定した止め板にネジで止着してある請求項１記載の３Ｄメガネの洗浄機。
【請求項３】
洗浄カゴが、上下２段に設けてある請求項１記載の３Ｄメガネの洗浄機。
【請求項４】
洗浄カゴが、上下３段以上に設けてある請求項１記載の３Ｄメガネの洗浄機。
【請求項５】
洗浄カゴ収容枠体が、硬質合成樹脂である請求項１記載の３Ｄメガネの洗浄機。
【請求項６】
洗浄カゴ収容枠体が、アルミニウム合金である請求項１記載の３Ｄメガネの洗浄機。
【請求項７】
カゴ区分け支柱と外側カゴ区分け支柱が、５本ずつである請求項１記載の３Ｄメガネの洗浄機。
【請求項８】
カゴ区分け支柱と外側カゴ区分け支柱が、４本又は６本以上ずつである請求項１記載の３Ｄメガネの洗浄機。
【請求項９】
外周側カゴ枠体の開閉が、嵌め込み係止である請求項１記載の３Ｄメガネの洗浄機。
【請求項１０】
外周側カゴ枠体の開閉が、１方が回転式係止で他方が嵌め込み係止である請求項１記載の３Ｄメガネの洗浄機。
【請求項１１】
洗浄槽が、洗浄槽の上部に温風流入口を設けてある請求項１記載の３Ｄメガネの洗浄機。
【請求項１２】
洗浄槽の回転軸が、所定時間おきに回転方向を正回転と逆回転に換えて回転するように設けてある請求項１記載の３Ｄメガネの洗浄機。
【請求項１３】
カゴ枠軸の底板が、所定の間隔をおいて洗浄液流出口を上下方向に設けてある請求項１記載の３Ｄメガネの洗浄機。
【発明の詳細な説明】
【技術分野】
【０００１】    この発明は、メガネのうち、特に３Ｄメガネを洗浄する３Ｄメガネの洗浄機に係るものである。
【背景技術】
【０００２】    従来は、映画館や大ホール、大きなテレビの前などで３Ｄ画面を見るために３Ｄメガネを多くの人が同時に使用し、使用した後に大量の３Ｄメガネを多くの人の手で洗浄している。【０００３】  この従来の人の手作業による大量の３Ｄメガネを洗浄していたために、多くの人が長い時間かけて洗浄していた。
【発明の概要】
【発明が解決しようとする課題】
【０００４】  この従来の使用して汚れた大量の３Ｄメガネを短い時間で洗浄することは困難であるという問題点があったし、特に、３Ｄメガネはレンズの左側と右側とに電池や機械器具が内臓されているために厚さがあるので、手で、かつ短時間できれいに洗浄することは困難であるという問題点があった。
更に、多くの人が手作業で洗浄するので、きれいに洗浄することができる人とそれ程きれいに洗浄できない人など３Ｄメガネをほぼ均一にきれいに洗浄することができにくいという問題点があったし、映画館での映画が終了後の夜間・深夜に洗浄液で長い時間手で洗浄することは作業者や管理者の負担が大きいという問題点があった。【０００５】  この発明は、従来の３Ｄメガネを人が手作業で洗浄する際に有するこれらの問題点を解消することである。
【課題を解決するための手段】
【０００６】  洗浄槽の下部に回転軸を設けて、この回転軸の上に、カゴ枠軸の下端と底板とを一体にしたカゴ枠軸を、固着してこのカゴ枠軸の周囲に複数本の内側カゴ係止支柱と複数本の区分け支柱を等角度おきに固着し、この複数本の区分け支柱の先端に上下複数本の円形リングを固着してこれらの区分け支柱と円形リングとからなる複数個のカゴ収容枠体の中に、開閉部を有するとともに少なくとも全側面と下面に網を有して内周側に円弧形係止穴を有する洗浄カゴを、１個ずつ着脱自在にそれぞれ挿入係止したものである。
【発明の効果】
【０００７】  この発明の３Ｄメガネの洗浄機は、洗浄槽の下部に回転軸を設けて、この回転軸の上に、カゴ枠軸の下端と底板とを一体にしたカゴ枠軸を、固着してこのカゴ枠軸の周囲に複数本の内側カゴ係止支柱と複数本の区分け支柱を等角度おきに固着し、この複数本の区分け支柱の先端に上下複数本の円形リングを固着してこれらの区分け支柱と円形リングとからなる複数個のカゴ収容枠体の中に、開閉部を有して内周側に円弧形係止穴を有するとともに少なくとも全側面と下面に網を有する洗浄カゴ（洗浄かご）を、１個ずつ着脱自在にそれぞれ挿入係止したから、この多数個の洗浄カゴに多くの３Ｄメガネを収納して洗浄槽の洗浄液を入れて、回転軸をモーターで回転して洗浄することにより１度に多くの３Ｄメガネを短時間で同時に洗浄することができる。
更に、洗浄槽で洗浄する時に、３角形状の洗浄カゴは洗浄カゴの円弧形係止穴が内周側カゴ係止支柱に係止され、３角形状の２辺は１辺が１本ずつで計２本のカゴ区分け支柱により回転方向に大きく移動することが抑制されているとともに３角形状の他の１辺は円形リングにより回転による遠心力により外側に大きく移動することが抑制されているために洗浄カゴは洗浄中に殆ど移動することがなく、この多数個の洗浄カゴに多くの３Ｄメガネを安定した状態でほぼ均一に良く洗浄することができる。【０００８】  請求項２の３Ｄメガネの洗浄機は、カゴ枠軸と一体に固定した底板と、回転軸の上に固定した止め板とを、ネジで止着したから、回転軸の上に固定した止め板に、カゴ枠軸と一体に固定した底板を、複数本のネジで強固に止着することがことができるし、回転軸の回転をカゴ枠軸に良く伝えることができる。更に長期間してカゴ枠軸と回転軸の１方が不良になって交換する時は、ネジを取外して比較的簡単に部品交換をすることができる。【０００９】  請求項３の３Ｄメガネの洗浄機は、洗浄カゴが、上下２段に設けてあるから、２段の洗浄カゴに２倍の個数の３Ｄメガネを収納できるために１度に多くの３Ｄメガネを短時間で同時に洗浄することができる。【００１０】  請求項４の３Ｄメガネの洗浄機は、上下３段以上に設けてあるから、３段以上の洗浄カゴに３倍以上の個数の３Ｄメガネを収納できるために１度に多くの３Ｄメガネを短時間で同時に洗浄することができる。【００１１】  請求項５の３Ｄメガネの洗浄機は、洗浄カゴ枠体が硬質合成樹脂であるから、洗浄カゴ枠体の成形加工を行い易いという効果があるし、硬質合成樹脂が比較的軽いために洗浄機全体の重量を軽減することができるとともに価格を軽減することができるという効果がある。【００１２】  請求項６の３Ｄメガネの洗浄機は、洗浄カゴ枠体がアルミニウム合金であるから、アルミニウム合金は比較的柔らか金属であるために成形加工を行い易いという効果があるし、アルミニウム合金は比較的軽いために洗浄機全体の重量を軽減することができる。【００１３】  請求項７の３Ｄメガネの洗浄機は、カゴ区分け支柱と外側区分け支柱が、５本ずつであるから、洗浄カゴを水平方向に収容する区分が５か所と多くあるために５か所の区分に、多くの洗浄カゴを収納した洗浄カゴ収容枠体を、それぞれ収納することができるととも１度に多くの３Ｄメガネを短時間で同時に洗浄することができる。【００１４】  請求項８のの３Ｄメガネの洗浄機は、カゴ区分け支柱と外側区分け支柱が、４本又は６本以上ずつであるから、洗浄カゴを水平方向に収容する区分が４か所又は６か所以上と多くあるために多くの区分に、多くの洗浄カゴを収納した洗浄カゴ枠体を、それぞれ収納することができるととも１度に多くの３Ｄメガネを短時間で同時に洗浄することができる。【００１５】  請求項９のの３Ｄメガネの洗浄機は、外周側カゴ枠体の開閉が、嵌め込み係止であるから、カゴ枠体に多く３Ｄメガネを収納する際は、カゴ枠体に嵌め込み係止した外周側カゴ枠体を取外して多く３Ｄメガネを収納し、収納した後に外周側カゴ枠体をカゴ枠体に嵌め込み係止することによりカゴ枠体に多くの３Ｄメガネを簡単に収納するすることができる��、洗浄後も同様にしてカゴ枠体を開けてカゴ枠体に収納した多く３Ｄメガネを簡単にカゴ枠体から取出すことができる。【００１６】  請求項１０のの３Ｄメガネの洗浄機は、外周側カゴ枠体の開閉が、１方が回転式係止で他方が嵌め込み係止であるから、カゴ枠体に多く３Ｄメガネを収納する際は、カゴ枠体の他方の嵌め込み係止を取外した後に、１方の回転式係止部を支点にして外周側カゴ枠体を回転し、カゴ枠体を開けてカゴ枠体に多くの３Ｄメガネを収納する。３Ｄメガネを収納した後に外周側カゴ枠体を回転し、嵌め込み係止することによりカゴ枠体に多く３Ｄメガネを簡単に収納するすることができるし、洗浄後も同様にしてカゴ枠体を開けてカゴ枠体に収納した多く３Ｄメガネを簡単にカゴ枠体から取出すことができる。【００１７】  請求項１１のの３Ｄメガネの洗浄機は、洗浄槽の上部に温風流入口を設けたから、洗浄槽で多くの３Ｄメガネを洗浄液で洗浄し、洗浄液を洗浄槽の流出口から排出しながらて洗浄槽に蓋を被せた後にこの温風流入口から洗浄槽の中に温風を流入することにより洗浄液が付着して濡れるいる３Ｄメガネを矩時間で早く乾燥することができるとともに洗浄に要する人の手間を大幅に軽減することができる。
この乾燥の際に、洗浄機の回転軸を回転して洗浄カゴ収容支持枠体を回転しながら乾燥すると、３Ｄメガネなどに付着した洗浄液の水滴が回転の遠心力により外側に飛散されるとともに上部からの温風が撹拌されながら下方に移動するために、３Ｄメガネなどを短時間でほぼ均一に乾燥することができる。【００１８】  請求項１２のの３Ｄメガネの洗浄機は、洗浄槽の回転軸が、所定時間おきに回転方向を正回転と逆回転に回転するように設けたから、３Ｄメガネは表と裏又は裏と表とが交互に洗浄されるために３Ｄメガネの１方の表側と他方の裏側とをほぼ均一にきれいに洗浄することができる。【００１９】  請求項１３のの３Ｄメガネの洗浄機は、カゴ枠軸の底板が、所定間隔おいて洗浄液の流出穴を上下方向に複数個設けてあるから、洗浄液を洗浄槽から流出させる際に、洗浄により３Ｄメガネから取除かれて底板の上に沈殿した粉塵などをこの流出穴から急激に排出される洗浄液とともに排出することができるために、粉塵などを洗浄槽から排出することがことができるとともに洗浄槽から洗浄液を早く排出することがことができる。【００２０】
【図面の簡単な説明】
【００２１】
【図１】本発明品の平面図である。
【図２】同じく１部切欠した正面図である。
【図３】カゴ収容枠体の平面図である。
【図４】同じく正面図である。
【図５】第１洗浄カゴの拡大平面図である。
【図６】同じく拡大正面図である。
【図７】同じく洗浄カゴを開けた拡大平面図である。
【図８】３Ｄメガネを重ねた正面図である。
【図９】第１洗浄カゴに３Ｄメガネを収納した平面図である。
【図１０】第２洗浄カゴを開けたの拡大平面図である。
【発明を実施するための形態】
【００２２】  ３Ｄメガネの洗浄機は、洗浄槽の下部に回転軸を設けて、この回転軸の上に、カゴ枠軸の下端と底板とを一体にしたカゴ枠軸を、固着してこのカゴ枠軸の周囲に複数本の内側カゴ係止支柱と複数本の区分け支柱を等角度おきに固着し、この複数本の区分け支柱の先端に上下複数本の円形リングを固着してこれらの区分け支柱と円形リングとからなる複数個のカゴ収容枠体の中に、開閉部を有するとともに少なくとも全側面と下面に網を有して内周側に円弧形係止穴を有する洗浄カゴを、１個ずつ着脱自在にそれぞれ挿入係止したものである。
【実施例１】
【００２３】  ３Ｄメガネの洗浄機１７は、図１から図４に図示のように、洗浄槽１の上部に洗浄液流入口２を有するとともに洗浄槽の下部に洗浄液流出口３を有する。
この洗浄槽の下部で洗浄槽の中に突出して回転軸４を設け、この回転軸の上に固着した円形取付板５に、カゴ枠軸６と一体にした底板７を複数本のネジ穴８´にネジを入れてネジ止めする。
このカゴ枠軸の周囲に５本の内側カゴ係止支柱９を上下方向に等角度おきに固着し、この内側カゴ係止支柱と内側カゴ係止支柱と中間に、５本の区分け支柱１０を、水平方向に等角度おきに固着してこの５本の区分け支柱の先端に外側区分け支柱１０´をそれぞれ上下方向に固着するとともにこの外側区分け支柱１０´の外側に上下とその中間との３箇所に１本ずつの円形リング１１を水平方向に固着して５個のカゴ収容部１２を有するカゴ収容枠体１３を回転軸４の上に固着形成する。
このカゴ収容枠体の５個のカゴ収容部１２に収容する洗浄カゴ１４は、図５と図６に図示のように、２辺の内周側カゴ枠体１４´，１４´と１辺の外周側カゴ枠体１４″とからなる３角形状の硬質合成樹脂製カゴ枠体であり、このカゴ枠体の全側面と上下に合成樹脂製網１５をそれぞれを接着して設け、カゴ枠体の外周側カゴ枠体の両端を円形突出部１５´を設けるともにカゴ枠体の外周側カゴ枠体の２辺の端と端とにそれぞれ円弧形溝部１５″，１５″を設けて、この２個の円弧形溝部１５″，１５″に外周側カゴ枠体の両端にある２個の円弧形突出部１５´，１５´をそれぞれ嵌め込んで係止した洗浄カゴである。
洗浄カゴの内周側カゴ枠体に円弧形係止穴１６を前記内側カゴ係止支柱９に上から挿入して係止した３Ｄメガネの洗浄機１７である。【００２４】  この実施例１の３Ｄメガネの洗浄機１７で３Ｄメガネを洗浄する時は、カゴ収容枠体１４の５個の収容洗浄部１２に、３Ｄメガネ２１を収納した洗浄カゴ１４を、それぞれ収容する（図９図示）。
洗浄カゴ１４を図５と図７に図示のように、嵌め込んで係止した外周側カゴ枠体を内周側カゴ枠体から取外し、内周側カゴ枠体の２辺に、３個重ねた３Ｄメガネを、メガネの表側を外向きにして３個ずつ２箇所に収納する。収納したら外周側カゴ枠体を内周側カゴ枠体に嵌め込んで係止して計６個入り洗浄カゴにする。
この６個入りの洗浄カゴを最初の１個として内周側カゴ枠体の円弧形係止穴１６を内側カゴ係止支柱９に上から挿入し、次に２個目として内周側カゴ枠体の円弧形係止穴１６を内側カゴ係止支柱９に上から挿入して２段重ねにして５個あるカゴ収容枠体の１個目の収容洗浄部１２に２段の洗浄カゴ（３Ｄメガネ計１２個入り）を収容する。この収容作業を他の４個の収容洗浄部に繰り返し実施してカゴ収容枠体１４に計６０個（３×２×２×５）の３Ｄメガネを収納する。
この多数の３Ｄメガネを収納したカゴ収容枠体入り洗浄槽１に洗浄液流入口２から洗浄液を流入してから、回転軸４をモーターなどで回転することにより３Ｄメガネを洗浄する。
洗浄後は回転軸を回転させたままにして３Ｄメガネなどに付着した水滴などを周囲に飛散させながら洗浄液を底板の流出穴７´などを通過させて洗浄槽の洗浄液流出口３から洗浄液を流出させるとともに洗浄槽に蓋を被せて、温風を流入口２´から温風を洗浄槽に流入して洗浄液で濡れている３Ｄメガネを短時間で乾燥する。
３Ｄメガネを乾燥した後に、前記の収容と逆の作業をして洗浄した３Ｄメガネをカゴ収容枠体や洗浄カゴから取出して洗浄は終了する。
なお、実施例１の洗浄機では、カゴ枠体の全側面と上下面の全面に合成樹脂製網をそれぞれを接着して設けたものについて説明したが、カゴ枠体の全側面と下面に合成樹脂製網をそれぞれを接着して設けてものも良いし、洗浄カゴが２段に積層したものについて説明したが、積層は３段以上に積層も良く、区分け支柱は５本でカゴ収容枠体が５個について説明したが、区分け支柱は４本又は６本以上でカゴ収容枠体が４個又は６個以上も良い。
【実施例２】
【００２５】  実施例２の３Ｄメガネの洗浄機は、実施例１の３Ｄメガネの洗浄機と異なる構成は実施例１では洗浄カゴのカゴ枠体と網は合成樹脂製でしたが、この洗浄カゴと網はアルミニウム合金製にしたものである。
【実施例３】
【００２６】  実施例３の３Ｄメガネの洗浄機は、実施例１の３Ｄメガネの洗浄機と異なる構成は実施例１では外周側カゴ枠体の両端にある２個の円弧形突出部１５´を２個の円弧形溝部１５″にそれぞれ嵌め込んで係止したが（図５図示）、洗浄カゴ２４の外周側カゴ枠体２４″の開閉を１方が回転式係止２６にし、他方が嵌め込み係止２７、２７´にした（図１０図示）ものである。なお、実施例１の洗浄機ではカゴ枠体の全面に合成樹脂製網設けたが、カゴ枠体の全側面と下面に合成樹脂製網をそれぞれを接着して設けることによりカゴ枠体の上面にこの網がない上面から３Ｄメガネを出入れを容易にできるとともにカゴ枠体の１部を嵌め込んで係止などした開閉部を設ける必要がなくなる。
【実施例４】
【００２７】  実施例４の３Ｄメガネの洗浄機は、実施例１の３Ｄメガネの洗浄機と異なる構成は実施例１ではカゴか枠軸に底板を設けたが、この底板に複数個の洗浄液流出穴７´を設けたものである。この洗浄液流出穴はカゴ収容枠体が５個のカゴ収容部１２であれば、カゴ収容部に各２個ずつで計１０個などが良い（図３図示）。
【実施例５】
【００２８】  実施例５の３Ｄメガネの洗浄機は、実施例１の３Ｄメガネの洗浄機と異なる構成は実施例１では洗浄槽の上部に温風の流入口を設けたが、この温風の流入口は洗浄槽の蓋に下方向に向けて設けたものである。
【符号の説明】
【００２９】  １  洗浄槽
２  洗浄液流入口
２´温風流入口
３  洗浄液流出口
４  回転軸
５  円形取付板
６  カゴ枠軸
７  底板
７´底板の流出穴
８´ネジ穴
９  内側カゴ係止支柱
１０  区分け支柱
１０´外側区分け支柱
１１  円形リング
１２  カゴ収容部
１３  カゴ収容枠体
１４  洗浄カゴ
１４´内周側カゴ枠体
１４″外周側カゴ枠体
１５  網
１５´円弧形突出部
１５″円弧形溝部
１６  円弧形係止穴
１７  洗浄機
【図１】
2012220945.tif 000003
【図２】
2012220945.tif 000004
【図３】
2012220945.tif 000005
【図４】
2012220945.tif 000006
【図５】
2012220945.tif 000007
【図６】
2012220945.tif 000008
【図７】
2012220945.tif 000009
【図８】
2012220945.tif 000010
【図９】
2012220945.tif 000011
【図１０】
2012220945.tif 000012